(57)【要約】【課題】複数の周波数帯域に関するセルサーチにおいて、セルサーチにおける電力消費を低減する。【解決手段】適応的に変化するＲＳＳＩ閾値と受信信号のＲＳＳＩを比較して、閾値以下の信号に対して信号解析処理を停止するとともに、所定回数以上に渡って信号解析に成功しない場合には、所定時間の間、信号受信及びＲＳＳＩ測定から信号解析までの、該周波数帯域に関するセルサーチのための処理を停止する。【選択図】      図１
2007251407.tif 000002
【特許請求の範囲】
【請求項１】
周波数帯域ごとの信号を受信し、受信電界強度を測定し、受信信号に対するセルサーチを実行するセルサーチ手段を有する移動通信端末において、
前記セルサーチ手段と対応して設置され、前記セルサーチ手段による受信信号に対するセルサーチの実行結果を受信し、当該実行結果がセルサーチ成功の場合はセルサーチ情報を、当該実行結果がセルサーチ失敗の場合はノイズ信号受信の判定処理を実行してノイズ信号受信情報を出力する周波数帯域別制御手段と、
前記周波数帯域別制御手段からセルサーチの実行結果を受信し、前記実行結果が前記セルサーチ情報の場合は前記セルサーチ情報を出力した前記周波数帯域別制御手段および対応する前記セルサーチ手段の動作を終了し、前記実行結果が前記ノイズ信号受信情報の場合は前記ノイズ信号受信情報を出力した前記周波数帯域別制御手段および対応する前記セルサーチ手段の動作を所定時間停止するセルサーチ制御手段と
を有することを特徴とする移動通信端末。
【請求項２】
前記周波数帯域別制御手段は、受信電界強度の値に応じて前記セルサーチ手段による受信信号に対するセルサーチの実行または実行の停止を指示し、実行を指示した場合には前記セルサーチ手段によるセルサーチの実行結果を受信することを特徴とする請求項１に記載の移動通信端末。
【請求項３】
前記周波数帯域別制御手段は、あらかじめ定めた閾値を超える電界強度の値を有する受信信号に対してのみ前記セルサーチ手段によるセルサーチの実行を指示することを特徴とする請求項２に記載の移動通信端末。
【請求項４】
前記周波数帯域別制御手段は、前記セルサーチ手段からセルサーチ失敗の実行結果を受信すると、前記閾値を所定の値だけ増加させることを特徴とする請求項３に記載の移動通信端末。
【請求項５】
前記周波数帯域別制御手段は、前記セルサーチ手段からセルサーチ失敗の実行結果の受信回数を計数するカウンタを備え、前記カウンタ値が所定の値に達したときにノイズ信号受信と判定することを特徴とする請求項１乃至４のいずれかの請求項に記載の移動通信端末。
【請求項６】
前記移動通信端末は、前記セルサーチ手段と対応して周波数帯域別タイマをさらに備え、前記セルサーチ制御手段は、前記ノイズ信号受信情報を出力した前記周波数帯域別制御手段および対応する前記セルサーチ手段の動作を停止する所定時間を前記周波数帯域別タイマに設定し、周波数帯域ごとのセルサーチの実行を指示する際に、計時中の前記周波数帯域別タイマに対応する前記セルサーチ手段および前記周波数帯域別制御手段のセルサーチの実行を指示しないことを特徴とする請求項５に記載の移動通信端末。
【請求項７】
前記周波数帯域別制御手段は、さらに所定の過去の時間までの受信電界強度値を保持するメモリを備え、前記メモリに保持された受信電界強度値の変化量が所定の値よりも大きい場合に受信状態変化情報を出力し、
前記セルサーチ制御手段は、前記受信状態変化情報を受信すると前記セルサーチ手段による全ての周波数帯域のセルサーチを開始することを特徴とする請求項１乃至６のいずれかの請求項に記載の移動通信端末。
【請求項８】
周波数帯域ごとの信号を受信し、受信電界強度を測定し、受信信号に対するセルサーチ処理を制御するセルサーチ処理制御方法であって、
前記セルサーチ処理による受信信号に対するセルサーチの実行結果を受信し、当該実行結果がセルサーチ成功の場合はセルサーチ情報を、当該実行結果がセルサーチ失敗の場合はノイズ信号受信の判定処理を実行してノイズ信号受信情報を出力する周波数帯域別制御ステップと、
前記周波数帯域別制御ステップからセルサーチの実行結果を受信し、前記実行結果が前記セルサーチ情報の場合は前記セルサーチ情報を出力した前記周波数帯域別制御ステップおよび対応する前記セルサーチ処理を終了し、前記実行結果が前記ノイズ信号受信情報の場合は前記ノイズ信号受信情報を出力した前記周波数帯域別制御ステップおよび対応する前記セルサーチ処理の動作を所定時間停止するセルサーチ制御ステップと
を有することを特徴とするセルサーチ処理制御方法。
【請求項９】
前記周波数帯域別制御ステップは、受信電界強度の値に応じて前記セルサーチ処理による受信信号に対するセルサーチの実行または実行の停止を指示し、実行を指示した場合には前記セルサーチ処理によるセルサーチの実行結果を受信することを特徴とする請求項８に記載のセルサーチ処理制御方法。
【請求項１０】
前記周波数帯域別制御ステップは、あらかじめ定めた閾値を超える電界強度の値を有する受信信号に対してのみ前記セルサーチ処理の実行を指示することを特徴とする請求項９に記載のセルサーチ処理制御方法。
【請求項１１】
前記周波数帯域別制御ステップは、前記セルサーチ処理からセルサーチ失敗の実行結果を受信すると、前記閾値を所定の値だけ増加させることを特徴とする請求項１０に記載のセルサーチ処理制御方法。
【請求項１２】
前記周波数帯域別制御ステップは、前記セルサーチ処理からセルサーチ失敗の実行結果の受信回数をカウンタにより計数し、前記カウンタ値が所定の値に達したときにノイズ信号受信と判定することを特徴とする請求項８乃至１１のいずれかの請求項に記載のセルサーチ処理制御方法。
【請求項１３】
前記セルサーチ処理制御方法は、前記セルサーチ処理と対応して周波数帯域別タイマステップをさらに含み、前記セルサーチ制御ステップは、前記ノイズ信号受信情報を出力した前記周波数帯域別制御ステップおよび対応する前記セルサーチ処理の動作を停止する所定時間を前記周波数帯域別タイマステップで計時し、周波数帯域ごとのセルサーチの実行を指示する際に、計時中の前記周波数帯域別タイマステップに対応する前記セルサーチ処理および前記周波数帯域別制御ステップの実行を指示しないことを特徴とする請求項１２に記載のセルサーチ処理制御方法。
【請求項１４】
前記周波数帯域別制御ステップは、さらに所定の過去の時間までの受信電界強度値を保持し、保持された受信電界強度値の変化量が所定の値よりも大きい場合に受信状態変化通知を出力する受信状態変化通知ステップと、
前記セルサーチ制御ステップは、前記受信状態変化通知を受信すると前記セルサーチ処理による全ての周波数帯域のセルサーチを開始することを特徴とする請求項８乃至１３のいずれかに記載のセルサーチ処理制御方法。
【請求項１５】
請求項８乃至１４のいずれかに記載のセルサーチ処理制御方法をコンピュータに実行させるプログラム。
【発明の詳細な説明】
【技術分野】
【０００１】
本発明は、移動通信システムの、移動通信端末およびセルサーチ方法に関する。
【背景技術】
【０００２】
無線信号の受信処理に関して、特開２００４−３６３７２３号公報（特許文献１）は、受信信号の受信電界強度（ＲＳＳＩ：Ｒｅｃｅｉｖｅ Ｓｉｇｎａｌ Ｓｔｒｅｎｇｔｈ Ｉｎｄｉｃａｔｏｒ）に対する閾値を設定し、閾値以上のＲＳＳＩが検出された時にのみ、信号解析処理を行うことを提案している。これにより、有効な信号解析が期待できない弱いレベルの信号に対する解析処理を行わないことで、消費電力の低減を図っている。
【０００３】
また特開２００３−１３４０２７号公報（特許文献２）では、さらに、ＲＳＳＩに対する閾値を適応的に変化させることを提案している。この提案は、移動局の受信環境に依存して変化する周囲雑音に対応することを目的とする。具体的には、受信した信号が雑音信号であると判断される場合には、ＲＳＳＩ閾値を高くするように制御し、閾値よりも低いＲＳＳＩで、かつ期待信号と思われる信号の入力が所定回数に達した場合にはＲＳＳＩ閾値を低くするよう制御する。これにより、ＲＳＳＩ閾値を最適に制御して、不要な信号解析処理を行わないようにしている。
【０００４】
本発明は、無線信号の受信処理が、特に移動通信システムにおける移動通信端末の基地局の検索（セルサーチ）である場合に関する。移動通信システムにおけるセルサーチに関しては、例えば、３ＧＰＰ  ＴＳ  ２５．２１１（非特許文献１）及び２５．２１４（非特許文献２）に記載されている。待ち受け処理時のセルサーチを例とすると、移動局は、各周波数帯のＲＳＳＩを測定した後、（１）プライマリ同期チャネルの検出およびスロットタイミングの同期、（２）セカンダリ同期チャネルの検出およびコードグループの同定、（３）スクランブリングコードの同定の３段階の解析処理を行い、使用可能な基地局を特定し待受動作へと遷移する。
【０００５】
図４に、待ち受け処理時のセルサーチを例としたセルサーチの従来方式によるフローを示す。図4を参照すると、信号受信後、受信信号のＲＳＳＩを測定し（Ｓ４１）、ＲＳＳＩ値の高い信号が受信されたか否かを判断する(Ｓ４２)。ＲＳＳＩが閾値以上となった場合は、受信した信号が有効な信号であることを期待してＳ４３からＳ４８までの信号解析処理が行われる。前述のように、セルサーチにおける信号解析処理には、プライマリ同期チャネルの検出、スロットタイミングの同期、セカンダリ同期チャンネルの検出とコードグループの同定、スクランブリングコードの同定などが含まれる。この信号解析処理は、周波数帯域いずれかの処理において、スクランブリングコードが同定されＳ４７）、待受処理に移行（Ｓ４９）するまで、すべての周波数帯域に対して繰り返し実行される。
【０００６】
【非特許文献１】３ＧＰＰ  ＴＳ  ２５．２１１
【非特許文献２】３ＧＰＰ  ＴＳ  ２５．２１４
【特許文献１】特開２００４−３６３７２３号公報
【特許文献２】特開２００３−１３４０２７号公報
【発明の開示】
【発明が解決しようとする課題】
【０００７】
特許文献１に開示された技術は、受信信号がＲＳＳＩ閾値以下の場合は信号解析処理を行わないことで消費電力の低減を図っている。しかし、この技術においては、無線信号の受信と、受信した信号のＲＳＳＩ測定の処理は必ず行われるので、それらの処理に伴う電力消費を防ぐことはできない。無線信号の受信とＲＳＳＩ測定の処理が、いかなる時でも抑制されない点に関しては、特許文献２に示される方法を用いた場合でも同様である。即ち、受信される信号が適応的に変化するＲＳＳＩ閾値以下であり、受信信号をノイズと判定して信号解析処理を抑制した時でも、無線信号の受信からＲＳＳＩ測定、及び閾値を適用的に判断させる処理に関しては実行されて電力が消費されるという問題点があった。本発明の目的は、ノイズ信号が存在する環境下において、従来の方法よりも、さらにセルサーチによる消費電流の低減を図るための技術を提供することにある。
【課題を解決するための手段】
【０００８】
本願発明の請求項１に係る移動通信端末は、周波数帯域ごとの信号を受信し、受信電界強度を測定し、受信信号に対するセルサーチを実行するセルサーチ手段を有する移動通信端末において、前記セルサーチ手段と対応して設置され、前記セルサーチ手段による受信信号に対するセルサーチの実行結果を受信し、当該実行結果がセルサーチ成功の場合はセルサーチ情報を、当該実行結果がセルサーチ失敗の場合はノイズ信号受信の判定処理を実行してノイズ信号受信情報を出力する周波数帯域別制御手段と、前記周波数帯域別制御手段からセルサーチの実行結果を受信し、前記実行結果が前記セルサーチ情報の場合は前記セルサーチ情報を出力した前記周波数帯域別制御手段および対応する前記セルサーチ手段の動作を終了し、前記実行結果が前記ノイズ信号受信情報の場合は前記ノイズ信号受信情報を出力した前記周波数帯域別制御手段および対応する前記セルサーチ手段の動作を所定時間停止するセルサーチ制御手段とを有することを特徴とする。
【０００９】
本願発明の請求項２に係る移動通信端末は、請求項１に記載の移動通信端末において、前記周波数帯域別制御手段は、受信電界強度の値に応じて前記セルサーチ手段による受信信号に対するセルサーチの実行または実行の停止を指示し、実行を指示した場合には前記セルサーチ手段によるセルサーチの実行結果を受信することを特徴とする。
【００１０】
本願発明の請求項３に係る移動通信端末は、請求項２に記載の移動通信端末において、前記周波数帯域別制御手段は、あらかじめ定めた閾値を超える電界強度の値を有する受信信号に対してのみ前記セルサーチ手段によるセルサーチの実行を指示することを特徴とする。
【００１１】
本願発明の請求項４に係る移動通信端末は、請求項３に記載の移動通信端末において、前記周波数帯域別制御手段は、前記セルサーチ手段からセルサーチ失敗の実行結果を受信すると、前記閾値を所定の値だけ増加させることを特徴とする。
【００１２】
本願発明の請求項５に係る移動通信端末は、請求項１乃至４のいずれかの請求項に記載の移動通信端末において、前記周波数帯域別制御手段は、前記セルサーチ手段からセルサーチ失敗の実行結果の受信回数を計数するカウンタを備え、前記カウンタ値が所定の値に達したときにノイズ信号受信と判定することを特徴とする。
【００１３】
本願発明の請求項６に係る移動通信端末は、請求項５に記載の移動通信端末において、前記移動通信端末は、前記セルサーチ手段と対応して周波数帯域別タイマをさらに備え、前記セルサーチ制御手段は、前記ノイズ信号受信情報を出力した前記周波数帯域別制御手段および対応する前記セルサーチ手段の動作を停止する所定時間を前記周波数帯域別タイマに設定し、周波数帯域ごとのセルサーチの実行を指示する際に、計時中の前記周波数帯域別タイマに対応する前記セルサーチ手段および前記周波数帯域別制御手段のセルサーチの実行を指示しないことを特徴とする。
【００１４】
本願発明の請求項７に係る移動通信端末は、請求項１乃至６のいずれかの請求項に記載の移動通信端末において、前記周波数帯域別制御手段は、さらに所定の過去の時間までの受信電界強度値を保持するメモリを備え、前記メモリに保持された受信電界強度値の変化量が所定の値よりも大きい場合に受信状態変化情報を出力し、前記セルサーチ制御手段は、前記受信状態変化情報を受信すると前記セルサーチ手段による全ての周波数帯域のセルサーチを開始することを特徴とする。
【００１５】
本願発明の請求項８に係るセルサーチ処理制御方法は、周波数帯域ごとの信号を受信し、受信電界強度を測定し、受信信号に対するセルサーチ処理を制御するセルサーチ処理制御方法であって、前記セルサーチ処理による受信信号に対するセルサーチの実行結果を受信し、当該実行結果がセルサーチ成功の場合はセルサーチ情報を、当該実行結果がセルサーチ失敗の場合はノイズ信号受信の判定処理を実行してノイズ信号受信情報を出力する周波数帯域別制御ステップと、前記周波数帯域別制御ステップからセルサーチの実行結果を受信し、前記実行結果が前記セルサーチ情報の場合は前記セルサーチ情報を出力した前記周波数帯域別制御ステップおよび対応する前記セルサーチ処理を終了し、前記実行結果が前記ノイズ信号受信情報の場合は前記ノイズ信号受信情報を出力した前記周波数帯域別制御ステップおよび対応する前記セルサーチ処理の動作を所定時間停止するセルサーチ制御ステップとを有することを特徴とする。
【００１６】
本願発明の請求項９に係るセルサーチ処理制御方法は、請求項８に記載のセルサーチ処理制御方法において、前記周波数帯域別制御ステップは、受信電界強度の値に応じて前記セルサーチ処理による受信信号に対するセルサーチの実行または実行の停止を指示し、実行を指示した場合には前記セルサーチ処理によるセルサーチの実行結果を受信することを特徴とする。
【００１７】
本願発明の請求項１０に係るセルサーチ処理制御方法は、請求項９に記載のセルサーチ処理制御方法において、前記周波数帯域別制御ステップは、あらかじめ定めた閾値を超える電界強度の値を有する受信信号に対してのみ前記セルサーチ処理の実行を指示することを特徴とする。
【００１８】
本願発明の請求項１１に係るセルサーチ処理制御方法は、請求項１０に記載のセルサーチ処理制御方法において、前記周波数帯域別制御ステップは、前記セルサーチ処理からセルサーチ失敗の実行結果を受信すると、前記閾値を所定の値だけ増加させることを特徴とする。
【００１９】
本願発明の請求項１２に係るセルサーチ処理制御方法は、請求項８乃至１１のいずれかの請求項に記載のセルサーチ処理制御方法において、前記周波数帯域別制御ステップは、前記セルサーチ処理からセルサーチ失敗の実行結果の受信回数をカウンタにより計数し、前記カウンタ値が所定の値に達したときにノイズ信号受信と判定することを特徴とする。
【００２０】
本願発明の請求項１３に係るセルサーチ処理制御方法は、請求項１２に記載のセルサーチ処理制御方法において、前記セルサーチ処理制御方法は、前記セルサーチ処理と対応して周波数帯域別タイマステップをさらに含み、前記セルサーチ制御ステップは、前記ノイズ信号受信情報を出力した前記周波数帯域別制御ステップおよび対応する前記セルサーチ処理の動作を停止する所定時間を前記周波数帯域別タイマステップで計時し、周波数帯域ごとのセルサーチの実行を指示する際に、計時中の前記周波数帯域別タイマステップに対応する前記セルサーチ処理および前記周波数帯域別制御ステップの実行を指示しないことを特徴とする。
【００２１】
本願発明の請求項１４に係るセルサーチ処理制御方法は、請求項８乃至１３のいずれかの請求項に記載のセルサーチ処理制御方法において、前記周波数帯域別制御ステップは、さらに所定の過去の時間までの受信電界強度値を保持し、保持された受信電界強度値の変化量が所定の値よりも大きい場合に受信状態変化通知を出力する受信状態変化通知ステップと、前記セルサーチ制御ステップは、前記受信状態変化通知を受信すると前記セルサーチ処理による全ての周波数帯域のセルサーチを開始することを特徴とする。
【００２２】
本願発明の請求項１５に係るプログラムは、請求項８乃至１４のいずれかの請求項に記載のセルサーチ処理制御方法をコンピュータに実行させる。
【発明の効果】
【００２３】
以上、説明したように、本発明に係る移動通信端末は、複数の周波数帯域を対象としたセルサーチにおいて、対象の周波数帯域で受信した信号がノイズであるか否かを判定し、ノイズであると判定した場合には、少なくとも所定の時間の間は、対象の周波数帯域に係る、受信処理から信号解析処理までの一切の処理を停止する。これによって、ノイズしか受信されない周波数帯域に対するセルサーチによる消費電力を低減することが可能となる。
【発明を実施するための最良の形態】
【００２４】
以下、本発明の実施の形態について、図面を参照しながら詳細に説明する。
【実施例１】
【００２５】
図１は、本発明が適用される移動通信端末の、特にセルサーチに係るセルサーチ回路の構成を示すブロック図である。
【００２６】
図１において、セルサーチ回路１は、アンテナ１００と、周波数帯域別処理回路２００と、制御回路３００と、周波数帯域別棄却タイマ４００と、を含んでいる。
【００２７】
ここで周波数帯域別処理回路２００と周波数帯域別棄却タイマ４００の２つの回路に関しては、セルサーチの対象となる周波数帯域数に対応する数の同様の回路を含んでいる。図１では、周波数帯域別処理回路２００と周波数帯域別棄却タイマ４００を示すブロックに、同様のブロックを重ねて描くことにより、それぞれが複数存在することを示している。
【００２８】
図１のように構成されたセルサーチ回路において、本発明の要旨は、ＲＳＳＩ値の高いノイズ信号を検出した周波数帯域別処理回路２００の報告を受けて、制御回路３００が当該周波数帯域別処理回路２００の動作を、対応する周波数帯域別棄却タイマ４００で設定した時間の間だけ停止させ、対応する周波数帯域に係わる信号受信からＲＳＳＩ値測定を含む一切のセルサーチ動作を停止することにより消費電力の低減を図るものである。
【００２９】
また、周波数帯域別処理回路２００は、受信回路２１０と、ＲＳＳＩ測定回路２２０と、ノイズ判定回路２３０と、信号解析回路２４０とを含み、ＲＳＳＩ閾値以上の受信信号に対してセルサーチの信号解析結処理またはノイズ信号の検出処理を行い、その結果を制御回路３００に対して報告する。
【００３０】
ノイズ判定回路２３０は、比較回路２３１と、ＲＳＳＩ閾値回路と、カウンタと、周波数帯域別制御回路２３４とを含み、ＲＳＳＩ閾値以上の受信信号を識別して周波数帯域別処理回路２００の信号解析回路２４０に対する動作制御を行い、信号解析回路２４０の処理結果報告に基づいて、ノイズ信号の検出処理と検出報告、またはセルサーチの信号解析結報告を行う。
【００３１】
次に図１に示される回路の動作を詳細に説明する。
【００３２】
セルサーチの対象となる周波数帯域すべての無線信号は、アンテナ１００から入力される。アンテナ１００からの無線信号は、周波数帯域別処理回路２００に入力される。
【００３３】
周波数帯域別処理回路２００では、それぞれの周波数帯域別処理回路２００に割り当てられた周波数帯域の信号を受信回路２１０によって受信する。受信された信号は、ＲＳＳＩ測定回路２２０と信号解析回路２４０に入力される。
【００３４】
信号解析回路２４０は、ノイズ判定回路２３０の周波数帯域別制御回路２３４から送信されるＯｎ／Ｏｆｆの制御信号に基づいて動作／停止し、動作した場合はセルサーチにおける信号解析処理を行う。即ち、（１）プライマリ同期チャネルの検出およびスロットタイミングの同期、（２）セカンダリ同期チャネルの検出およびコードグループの同定、（３）スクランブリングコードの同定を行う。処理の結果は、解析結果として周波数帯域別制御回路２３４に報告される。
【００３５】
ＲＳＳＩ測定回路２２０は、受信された信号のＲＳＳＩを測定し、測定結果はノイズ判定回路２３０に入力される。
【００３６】
ノイズ判定回路２３０では、測定されたＲＳＳＩと、ＲＳＳＩ閾値回路２３２のＲＳＳＩ閾値とを、比較回路２３１で比較する。比較回路２３１は、比較結果を周波数帯域別制御回路２３４に報告する。ここでＲＳＳＩ閾値回路２３２のＲＳＳＩ閾値は、周波数帯域別制御回路２３４によって適宜変更され、更新されている。周波数帯域別制御回路２３４による、ＲＳＳＩ閾値回路２３２のＲＳＳＩ閾値更新処理の詳細は後述する。
【００３７】
周波数帯域別制御回路２３４は、比較回路２３１から入力される比較結果に応じて、信号解析回路２４０へのＯｎ／Ｏｆｆの制御信号を出力する。周波数帯域別制御回路２３４は、比較回路２３１の比較結果から、受信信号のＲＳＳＩがＲＳＳＩ閾値回路２３２の閾値以下であった場合には、信号解析回路２４０を停止するよう、制御信号を出力する。即ち、周波数帯域別制御回路２３４は、受信信号のＲＳＳＩが低く、スクランブリングコードの同定に至る正常な解析が期待できない信号の受信時は、信号解析を行わないよう、信号解析回路２４０を制御する。また受信信号のＲＳＳＩがＲＳＳＩ閾値回路２３２の閾値以上の場合には、信号解析回路２４０を動作させ、信号解析処理を行わせる。
【００３８】
さらに周波数帯域別制御回路２３４は、信号解析回路２４０から入力される解析結果に応じて、ＲＳＳＩ閾値回路２３２のＲＳＳＩ閾値とカウンタ２３３とを更新する。周波数帯域別制御回路２３４による、カウンタ２３３の更新処理の詳細は後述する。周波数帯域別制御回路２３４は、信号解析回路２４０から入力される解析結果とカウンタ２３３のカウンタ値により、ノイズの判定を行う。
【００３９】
周波数帯域別制御回路２３４は、信号解析に成功した場合は、信号解析回路２４０の信号解析結果を、受信信号をノイズと判定した場合には、ノイズ判定の結果を、制御回路３００に出力する。
【００４０】
いずれかの周波数帯域の周波数帯域別処理回路２００において信号解析が成功し、信号解析結果の入力があると、制御回路３００は、対応する周波数帯域別処理回路２００のセルサーチ処理を終了する。セルサーチ処理の終了とは、例えばセルサーチが待受けの際のセルサーチ処理であれば、待ち受け処理に移行する。また周波数帯域別処理回路２００からの入力がノイズ判定の場合には、制御回路３００は、対応する周波数帯域別処理回路２００に対してＯｆｆの制御信号を出力する。周波数帯域別処理回路２００は、制御回路３００からのＯｆｆの制御信号に基づいて処理を停止する。
【００４１】
制御回路３００の周波数帯域別処理回路２００に対するＯｆｆの制御により、受信される信号がノイズと判定された周波数帯域においては、サーチのための処理の一切、即ち、受信から解析処理に至るまでのすべての処理が停止する。
【００４２】
制御回路３００は、周波数帯域別処理回路２００を停止する際に、停止する周波数帯域別処理回路２００に対応する周波数帯域別棄却タイマ４００をスタートする。周波数帯域別棄却タイマ４００は、所定の時間が経過すると、タイムアウトを制御回路３００に通知する。タイムアウトの通知を受けると、制御回路３００は、タイムアウトした周波数帯域別棄却タイマ４００に対応する周波数帯域別処理回路２００へ再びＯｎの制御信号を出力する。
【００４３】
制御回路３００からのＯｎの制御信号を受信した周波数帯域別処理回路２００は、対応する周波数帯域別の処理を開始する。
【００４４】
次に図２の周波数帯域別処理回路２００のフロー図を参照して、周波数帯域別処理回路２００の処理を説明する。
【００４５】
セルサーチの開始時に、周波数帯域別制御回路２３４は、ＲＳＳＩ閾値回路２３２のＲＳＳＩ閾値と、カウンタ２３３のカウンタ値とを初期化する（Ｓ２１１）。周波数帯域別制御回路２３４は、初期化のために図５に示す定数値を保持している。即ち、ＲＳＳＩデフォルト閾値としてＴｈαを、ＲＳＳＩ増加値としてＲｓαを、ＮＧ回数閾値としてＮＧαを保持している。Ｓ２１１では、ＲＳＳＩ閾値回路２３２のＲＳＳＩ閾値にＴｈαを、さらにカウンタ２３３のカウンタ値に０をセットする。
【００４６】
次にＲＳＳＩ測定回路２２０が、受信された信号のＲＳＳＩ測定を行う（Ｓ２１２）。
【００４７】
測定されたＲＳＳＩがＲＳＳＩ閾値（Ｔｈｎ）以上であった場合には、信号解析回路２４０により信号解析処理を行う（Ｓ２１６）。ＲＳＳＩ測定値がＲＳＳＩ閾値（Ｔｈｎ）より小さい場合には、信号解析処理を行わず、再びＲＳＳＩ測定の処理に戻る（Ｓ２１５）。
【００４８】
Ｓ２１６での信号解析によってセルサーチに成功した場合、その結果は周波数帯域別制御回路２３４を通して制御回路３００に通知される（Ｓ２１８）。
【００４９】
Ｓ２１６での信号解析が失敗した場合には、周波数帯域別制御回路２３４がカウンタ２３３のカウンタ値（Ｓｎ）をインクリメントする（Ｓ２１９）。更新されたカウンタ値（Ｓｎ）がＮＧαに達した場合には、周波数帯域別制御回路２３４は受信信号をノイズであると判断して、その旨を御回路３００に通知する（Ｓ２２１）。
【００５０】
Ｓ２１６での信号解析がＮＧであり、かつカウンタが所定の値まで達していない場合に、周波数帯域別制御回路２３４は、ＲＳＳＩ閾値回路２３２のＲＳＳＩ閾値を更新する（Ｓ２２２）。具体的には、その時点のＲＳＳＩ閾値（Ｔｈｎ）に、所定の値であるＲｓαを増加して、新たなＲＳＳＩ閾値とする。Ｓ２２２では、次回以降の処理で再び同様のノイズが入力したとしても、閾値を高く設定することにより、信号解析処理の実行が、より厳しく抑制されるよう調整している。
【００５１】
次に、図３を参照して、主として制御回路３００に係る動作を説明する。
【００５２】
セルサーチは、移動通信端末が新たな通信エリア（セル）に移動する場合や待ち受け時などに行われる。ここでは待ち受け時のセルサーチを例として説明する。
【００５３】
初めに制御回路３００は、セルサーチの対象となるすべての周波数帯域別処理回路２００に対してＯｎの制御信号を出力し、セルサーチを開始する（Ｓ３１１）。
【００５４】
次に制御回路３００は、周波数帯域別処理回路２００からの通知（１）の有無を確認する（Ｓ３１５）。この通知は図２のＳ２１８に対応するもので、信号解析が成功した、即ちセルサーチに成功した場合となる。そのため制御回路３００は、周波数帯域別棄却タイマと周波数帯域別処理回路２００とをリセットして（Ｓ３１６）次回のセルサーチに備えるとともに、対応する周波数帯域におけるセルサーチの終了処理を行う。ここでセルサーチの終了処理とは、セルサーチの結果を、上位回路、例えばハンドオーバを含めた端末の通信制御を司る制御回路に通知する、あるいは、待ち受け処理に移行するなどの処理を指す。図３は、待ち受け処理の際のセルサーチ例であるので、待受け処理に移行している（Ｓ３１７）。
【００５５】
次に、周波数帯域別処理回路２００からの通知（２）の有無を確認する（Ｓ３１８）。この通知は、図２のＳ２２１に対応する。通知（２）を受けて、制御回路３００は、通知（２）に対応する周波数帯域別処理回路２００に対してＯｆｆの制御信号を出力して動作を停止させる（Ｓ３１０）。そして対応する周波数帯域別棄却タイマ４００をスタートさせる。
【００５６】
ここで通知（２）とは、周波数帯域別処理回路２００での信号解析が、所定のカウンタ値ＮＧαに至る回数まで失敗したことを意味する。より詳しくは、対応する周波数帯域において、閾値よりも大きなＲＳＳＩのノイズ信号が、相当程度の時間継続して入力していることを意味する。そのため制御回路３００は、当面の間、対応する周波数帯域におけるセルサーチは期待できないものとして、対応する周波数帯域でのセルサーチ処理の一切を停止させる。ここで当面の間とは即ち、棄却タイマによってカウントさせる所定の時間となる。棄却処理時間は、例えば数秒から数時間の範囲で、最適な時間を選択すれば良い。
【００５７】
セルサーチは複数の周波数帯域に対してなされるので、いくつかの周波数帯域に関して、その処理を止めたとしても、セルサーチそのものが停止するわけではない。処理が止められていない他の周波数帯域ではセルサーチがなされるからである。
【００５８】
次に制御回路３００は、周波数帯域別棄却タイマ４００でタイムアウトしたタイマを確認する（Ｓ３２１）。タイムアウトしたタイマがある場合には、対応する周波数帯域別処理回路２００に対してＯｎの制御信号を出力し、周波数帯域別処理回路２００の処理を開始させる(Ｓ３２２)。
【００５９】
制御回路３００は、以上の処理を繰り返す。結果として、制御回路３００は、ノイズと思われる周波数帯域の処理は一定時間停止し、信号解析が期待できる周波数帯域の処理のみを動作させるよう、周波数帯域別のセルサーチ処理を行う。
【００６０】
次に図６、図７、図８を参照して、ノイズ信号を受信した場合の具体的な動作例を説明する。
【００６１】
図６は、この動作例の説明において想定する状況を示す移動通信システムの構成図である。移動通信端末として移動機２は、基地局Ａのゾーンから基地局Ｂのゾーンに移動しつつある。基地局Ａは周波数ＦｑＡで、基地局Ｂは周波数ＦｑＢで信号を送信している。図６の移動通信システムにおいては、ＦｑＡ及びＦｑＢ以外にＦｑｘという周波数帯域も使用されるものとし、さらに基地局Ａのゾーンと、基地局Ｂのゾーンの中間地点では、Ｆｑｘの周波数帯域のノイズ信号が発生しているものとする。
【００６２】
図７は、この動作例の説明において使用する所定の値を示す。
【００６３】
さて図６において、移動機２は、基地局Ａのゾーンを離れ、基地局Ｂのゾーンに近づくので、移動機２は、この過程でセルサーチを行う。ここでセルサーチの対象周波数帯域の１つである周波数Ｆｑｘに関する移動機２の動作を、特にＲＳＳＩ閾値とカウンタ値の変化を通して説明する。なお、ＲＳＳＩ閾値とカウンタ値は、周波数Ｆｑｘに対応する周波数帯域別回路２００の、ＲＳＳＩ閾値回路２３２とカウント２３３に保持される値である。
【００６４】
図８は、この動作例におけるＲＳＳＩ閾値とカウンタ値の変化を示す表である。
【００６５】
図８の表の(デフォルト値)の行は、周波数帯域別回路２００が周波数帯域Ｆｑｘに関してセルサーチを開始する際のＲＳＳＩ閾値及びカウンタ値の初期値を示す。
【００６６】
図８の表は左のカラムから、それぞれ周波数Ｆｑｘに関する、受信信号のＲＳＳＩ、更新前のＲＳＳＩ閾値、更新前のカウンタ値、信号解析回路２４０の動作状態、更新後のＲＳＳＩ閾値、更新後のカウンタ値、周波数帯域別処理回路２００の動作状態を示す。また図８では説明のために、受信処理を所定時間ごとに、受信１回目、受信２回目のように区切られたものとして示し、ＲＳＳＩ閾値とカウンタ値の変化を説明している。
【００６７】
図８の２行目、「受信１回目」において、Ｆｑｘの信号を−９５ｄＢｍで受信している。この値はＲＳＳＩ閾値（−１００ｄＢｍ）より大きいので、信号解析回路２４０を動作させている。この動作例におけるＦｑｘはノイズ信号であるため、信号解析回路２４０の解析結果はＮＧとなり、その結果ＲＳＳＩ閾値を３ｄＢ修正して−９７ｄＢｍに、カウンタ値を０から１つインクリメントして１としている。受信２回目は１回目と同様に処理されている。
【００６８】
受信３回目で受信信号のＲＳＳＩがＲＳＳＩ閾値よりも小さくなり、信号解析回路２４０を停止している。信号解析回路２４０の停止により、受信３回目ではＲＳＳＩ閾値とカウンタ値を更新していない。
【００６９】
受信４回目では、受信信号のＲＳＳＩがＲＳＳＩ閾値よりも大きくなり、信号解析回路２４０を動作させるものの、解析結果はＮＧとなり、カウンタ値が３に更新されている。その結果、カウンタ値が所定値（３）に達している。そのため、周波数帯域別処理回路２００の動作は受信４回目までとなり、受信４回目終了後から１０秒間の棄却処理に入る。受信５回目は、Ｆｑｘが棄却処理中であるため、信号解析回路２４０を含めた周波数帯域別処理回路２００が停止していることを示している。
【００７０】
このように本実施例では、相当程度の時間継続してノイズ信号を受信した周波数帯域のセルサーチ処理の一切を所定時間に渡って停止する。これにより、処理を停止した周波数帯域の受信及びＲＳＳＩ測定を含むセルサーチ処理一切に要する電力の消費を防ぐことが可能となる。
【実施例２】
【００７１】
次に本願発明の実施例２を説明する。実施例２では、セルサーチに係る処理が進行し、いくつかの周波数帯域別のセルサーチが休止している状態から、再度、すべての周波数帯域でセルサーチを開始する構成に関する。例えば、本願発明の実施例１で、数時間に及ぶ長時間の棄却タイマ値が用いられた場合や、多数の周波数帯域に掛かるノイズが、実施例１の棄却タイマが動作する程度のレベルと時間に渡って受信された場合などでは、多くの周波数帯域別のセルサーチ処理が休止状態となる。実施例２は、そのような通信端末の受信状況が、セルサーチ可能な状態に復帰した時に、実施例１の場合よりも速やかに全ての周波数帯域でセルサーチを開始する方法に関する。なお、以下の説明においては、実施例１と共通の構成及び動作に関する説明を省く。
【００７２】
図９に本願発明の実施例２に係るブロック図を示す。図９に関して、図１の実施例１のブロック図に対応する構成要素には、同じ符号が振られている。
【００７３】
実施例１と比較して、実施例２にはメモリ２３５が追加されている。メモリ２３５には、比較回路２３５とともに、ＲＳＳＩ測定回路からＲＳＳＩ測定結果が入力される。メモリ２３５は、一定時間前の過去から現在に至るまでのＲＳＳＩ測定結果を時系列に保持する。
【００７４】
周波数帯域別制御回路２３４は、メモリ２３５内に保持されたＲＳＳＩ測定結果を一定の時間ごとに走査し、ＲＳＳＩ測定値の変化量を確認する。この確認により、周波数帯域別制御回路２３４は、ＲＳＳＩ測定値が大きく変化したことを検出すると、制御回路３００にその旨を通知する。ＲＳＳＩ測定値の変化が大きい場合とは即ち、所定時間のＲＳＳＩ測定値が、所定値以上の変化した場合である。
【００７５】
制御回路３００では、周波数帯域別制御回路２３４から、ＲＳＳＩ測定値が大きく変化した旨の通知を受けると、その時点の周波数帯域別処理回路２００の動作状態に関わらず、全ての周波数帯域でセルサーチを開始する。即ち、セルサーチを初めから行う。
【００７６】
図１０は、実施例２における、主として周波数帯域別制御回路２３４に関する処理フローを示す。図１０では、図２の実施例１の処理フローに、Ｓ１０１３のＲＳＳＩ測定値の大きな変化の有無の判断と、変化を検出した場合に制御回路３００に通知する処理（Ｓ１０１４）が追加されている。この通知（３）が、実施例２で追加された、周波数帯域別制御回路２３４から制御回路３００への通知に対応する。
【００７７】
図１１は、実施例２における、主として制御回路３００に関する処理フローを示す。図１１では、図３の実施例１の処理フローに、周波数帯域別処理回路２００からの通知（３）の条件判断処理（Ｓ１１１２）が追加されている。この通知（３）は、図１０におけるＳ１０１４の処理に対応する。制御回路３００は、この通知（３）により、再度、すべての周波数帯域において、周波数帯域別処理回路２００によるセルサーチを開始する（Ｓ１１１１）。
【００７８】
このように本実施例では、移動通信端末の受信状況の変化を、セルサーチ処理がなされている周波数帯域におけるＲＳＳＩ測定値の変化により検出し、再度、すべての周波数帯域において、周波数帯域別処理回路２００によるセルサーチを開始する。これにより通信端末の通信環境が変化した場合に、速やかにセルサーチを開始することが可能となる。
【００７９】
なお、本実施例１及び２においては、周波数帯域別処理回路２００と、周波数帯域別棄却タイマ４００とを、セルサーチを行う周波数帯域数に対応して複数個備えた構成が示されている。しかしながら、本実施例のように周波数帯域ごとに個別の回路を備えるのではなく、それぞれ１つの回路により、複数帯域を対象としたセルサーチを行うことも可能である。即ち、１組の回路を、受信周波数帯域を順次切替えて、複数周波数帯域のセルサーチを行えばよい。
【００８０】
１組の周波数帯域別処理回路２００及び周波数帯域別棄却タイマ４００を、周波数帯域を順次切替えて動作する構成においても、以下のように本発明を実施可能である。例えば、ノイズと判定され、棄却タイマにより計測される時間が経過するまでの棄却処理期間中には、周波数帯域別処理回路２００における、棄却処理中の周波数帯域の処理をスキップ、あるいは停止すれば良い。
【００８１】
以上説明したように、本発明の移動通信端末は、ノイズ信号しか受信されない周波数帯域の、ＲＳＳＩ測定処理を含めたセルサーチ処理の一切を所定時間停止することにより、消費電量を低減することが可能となる。
【図面の簡単な説明】
【００８２】
【図１】本発明の実施例１の形態における構成図
【図２】本発明の実施例１の形態における処理フロー図
【図３】本発明の実施例１の形態における処理フロー図
【図４】従来方式におけるセルサーチの処理フロー図
【図５】本発明の実施例１の形態における定数値の表
【図６】本発明の実施例１の形態における動作例の説明における構成図
【図７】本発明の実施例１の形態における動作例の説明における定数値例の表
【図８】本発明の実施例１の形態における動作例の説明におけるＲＳＳＩ閾値とカウンタ値の変化を示す表
【図９】本発明の実施例２の形態における構成図
【図１０】本発明の実施例２の形態における処理フロー図
【図１１】本発明の実施例２の形態における処理フロー図
【符号の説明】
【００８３】
１    セルサーチ回路
１００    アンテナ
２００    周波数帯域別処理回路
２１０    受信回路
２２０    ＲＳＳＩ測定回路
２３０    ノイズ判定回路
２３１    比較回路
２３２    ＲＳＳＩ閾値回路
２３３    カウンタ
２３４    周波数帯域別制御回路
２３５    メモリ
２４０    信号解析回路
３００    制御回路
４００    周波数帯域別棄却タイマ
【図１】
2007251407.tif 000003
【図２】
2007251407.tif 000004
【図３】
2007251407.tif 000005
【図４】
2007251407.tif 000006
【図５】
2007251407.tif 000007
【図６】
2007251407.tif 000008
【図７】
2007251407.tif 000009
【図８】
2007251407.tif 000010
【図９】
2007251407.tif 000011
【図１０】
2007251407.tif 000012
【図１１】
2007251407.tif 000013